(57)【要約】【課題】形成する画質の低下を招来することなく、画像形成の開始指示から画像形成の完了までを短時間で行うことができる画像形成装置を提供する。【解決手段】画像形成装置は、画像形成の開始指示を受け付けた場合に、定着器の温度が待機温度に達した後、用紙収容部からレジストローラなどの用紙搬送部へ給紙を行う。画像形成装置は、定着器の温度がプリント温度に達するまで用紙搬送部にて用紙を待機させ、定着器が所定温度に達した後で画像形成部へ用紙を搬送する。【選択図】図３
2009103748.tif 000002
【特許請求の範囲】
【請求項１】
用紙を収容する用紙収容部と、
熱を加えて用紙に画像を形成する画像形成部と、
該画像形成部へ用紙を搬送する用紙搬送部と、
前記用紙収容部に収容された用紙を前記用紙搬送部へ給紙する給紙部と、
画像形成の開始指示を受け付ける受付部と、
前記受付部が開始指示を受け付けた場合に、前記給紙部に給紙を行わせる給紙制御部と、
前記画像形成部の画像形成に係る温度を検出する温度検出部と、
該温度検出部が検出した温度が所定温度に達した場合に、用紙の搬送を前記用紙搬送部に許可する搬送制御部と
を備えることを特徴とする画像形成装置。
【請求項２】
前記所定温度は、前記画像形成部による画像の形成が可能な温度であること
を特徴とする請求項１に記載の画像形成装置。
【請求項３】
前記給紙制御部は、前記温度検出部が検出した温度が前記所定温度より低い所定の温度以上の場合に、前記給紙部に給紙を行わせること
を特徴とする請求項１又は請求項２に記載の画像形成装置。
【発明の詳細な説明】
【技術分野】
【０００１】
本発明は、画像形成の開始指示が与えられてから短時間で画像形成を完了することができる画像形成装置に関する。
【背景技術】
【０００２】
従来、コピー機、プリンタ又はファクシミリ等のように、用紙に画像を形成する画像形成装置が広く普及している。電子写真方式の画像形成装置は、感光ドラムに付着させたトナーを用紙に転写し、定着器にて熱及び圧力を用紙に加えてトナーを定着させることで画像形成を行う。よって、画像形成装置は、定着器の温度が一定の温度（以下、この温度をプリント温度という）に達していない場合には、画像形成を行うことができない。
【０００３】
画像形成装置は、定着器をプリント温度に保つように制御を行うが、節電などの観点から画像形成を連続的に行わない場合などには、定着器をプリント温度より低い待機温度に保つように制御する。また、画像形成装置の電源投入直後においては、定着器の温度は待機温度より低い温度である。
【０００４】
従来の画像形成装置は、定着器の温度が所定の給紙温度に達するまで、カセット又はトレイ等の用紙収容部からの給紙を行わず、給紙温度に達した後で給紙を開始している。給紙温度は、待機温度より高く、プリント温度より数℃低い温度である。よって、定着器の温度が低下している状態でユーザが画像形成の開始指示を与えた場合、画像形成が完了するまでの待ち時間が長い。
【０００５】
特許文献１においては、印字開始から早い段階で給紙の可否を判断することができる画像形成装置が提案されている。この画像形成装置は、印字を指示されてからスキャナの回転体の立ち上がり速度が所定速度以上の場合、定着器の温度の立ち上がりの速さに関係なく、所定時間で給紙を開始する。また、回転体の立ち上がり速度が所定速度未満の場合、画像形成装置は定着器の温度の立ち上がりの速さに応じて給紙を開始する。これにより画像形成装置は、印字が指示されてから印字を完了するまでの時間を短縮することができる。
【０００６】
特許文献２においては、標準プリントモードの場合は印字開始信号を受信して給紙待機時間が経過した後に給紙を開始し、高速ファーストプリントモードの場合は印字開始信号の受信に応じて給紙を行う画像形成装置が提案されている。これにより、画像形成装置は、用紙へ形成する画像の画質を維持しつつ、可能な限り早く用紙を出力することができる。
【特許文献１】特開２００６−１７８３４号公報
【特許文献２】特開２００４−２０５９７８号公報
【発明の開示】
【発明が解決しようとする課題】
【０００７】
従来の画像形成装置は、定着器の温度が給紙温度に達した場合に用紙を給紙している。このとき用紙収容部から給紙された用紙は、所定の搬送経路を通してレジストローラまで搬送される。レジストローラは、感光ドラム及び定着器等を有する画像形成部へ、画像形成のタイミングに合わせて用紙を搬送するためのローラである。
【０００８】
給紙を開始する判断基準である給紙温度は、用紙収容部からレジストローラまでの搬送時間を考慮して、プリント温度から数℃低い温度に設定してある。しかし、画像形成装置の周囲環境が極低温の場合などを考慮して、給紙温度は設定される。よって、常温又は高温で画像形成装置を利用する際には、レジストローラまで給紙が行われた時点で、定着器の温度が十分に上昇している可能性がある。この場合、画像形成装置は余分な時間を給紙のために待機しており、ユーザの待ち時間を必要以上に増大させている。
【０００９】
特許文献１に記載の画像形成装置は、回転体の立ち上がり速度及び定着器の温度の立ち上がりの速さに応じて給紙を開始している。しかし特許文献１の発明は、給紙トレイから用紙を給紙する給紙ローラが上述のレジストローラを兼ねる小型の画像形成装置を想定したものである。よって、給紙トレイからレジストローラまでの搬送経路がある程度長い画像形成装置には、この発明を適用することができない。
【００１０】
特許文献２に記載の画像形成装置は、高速ファーストプリントモードの場合のみ画像形成に要する時間を低減したものであり、標準プリントモードの場合については従来と同じである。また、高速ファーストプリントモードの場合では、画像形成装置が給紙待機時間を待機することなく給紙及び画像形成を行うため、形成される画像の画質が低下するという問題がある。
【００１１】
本発明は、斯かる事情に鑑みてなされたものであって、その目的とするところは、形成する画質の低下を招来することなく、画像形成の開始指示から画像形成の完了までを短時間で行うことができる画像形成装置を提供することにある。
【課題を解決するための手段】
【００１２】
本発明に係る画像形成装置は、用紙を収容する用紙収容部と、熱を加えて用紙に画像を形成する画像形成部と、該画像形成部へ用紙を搬送する用紙搬送部と、前記用紙収容部に収容された用紙を前記用紙搬送部へ給紙する給紙部と、画像形成の開始指示を受け付ける受付部と、前記受付部が開始指示を受け付けた場合に、前記給紙部に給紙を行わせる給紙制御部と、前記画像形成部の画像形成に係る温度を検出する温度検出部と、該温度検出部が検出した温度が所定温度に達した場合に、用紙の搬送を前記用紙搬送部に許可する搬送制御部とを備えることを特徴とする。
【００１３】
また、本発明に係る画像形成装置は、前記所定温度が、前記画像形成部による画像の形成が可能な温度であることを特徴とする。
【００１４】
また、本発明に係る画像形成装置は、前記給紙制御部が、前記温度検出部が検出した温度が前記所定温度より低い所定の温度以上の場合に、前記給紙部に給紙を行わせることを特徴とする。
【００１５】
本発明においては、画像形成の指示を受け付けた場合に、画像形成部の定着器などの温度に関わらず、画像形成装置は用紙収容部からレジストローラなどの用紙搬送部へ給紙を行う。これにより画像形成装置は、上述の給紙温度を判断基準とすることなく給紙を行うことができる。その後、画像形成装置は、画像形成部の温度が所定温度に達するまで用紙搬送部にて用紙を待機させ、所定温度に達した場合に用紙を搬送して画像を形成する。画像形成部が所定温度に達した直後に画像形成を行うことができるため、画像形成装置が余分な時間を給紙のために待機することがない。
【発明の効果】
【００１６】
本発明による場合は、画像形成装置が、給紙温度などの判断を行うことなく給紙を行うことができ、給紙のために余分な時間を待機することがないため、画像形成の開始指示から画像形成の完了までを短時間で行うことができる。またこれに伴って、画像形成装置が形成する画像の画質が低下することはない。よって、画像形成装置は高品質な画像を高速に形成することができる。
【発明を実施するための最良の形態】
【００１７】
（実施の形態１）
以下、本発明をその実施の形態を示す図面に基づき具体的に説明する。なお、本実施の形態においては、画像形成装置としてMultiFunction Peripheral（ＭＦＰ）を例に説明を行う。図１は、本発明に係るＭＦＰの構成を示すブロック図である。図において１はＭＦＰであり、原稿を複写するコピー機能、公衆電話回線網１００を介してデータの送受信を行うファクシミリ機能、原稿を読み取るスキャナ機能、及び与えられた画像を用紙に印刷するプリンタ機能等の複数の機能を備えている。ＭＦＰ１は、公衆電話回線網１００を介して他のＭＦＰ１及びファクシミリ等の通信機器に接続され、これらの機器との間で音声信号による画像の送受信を行うことができる。また、ＭＦＰ１は、通信ケーブルなどを介してPersonal Computer（ＰＣ）２に接続され、ＰＣ２との間でデータの送受信を行うことができる。
【００１８】
ＭＦＰ１は、各種の演算処理及びＭＦＰ１内の各部の制御処理等を行う制御部１０を備えている。制御部１０は、具体的にはCentral Processing Unit（ＣＰＵ）又はMicro Processing Unit（ＭＰＵ）等により構成してある。制御部１０は、Read Only Memory（ＲＯＭ）１１に予め記憶されたプログラム及びデータを読み出して実行することによって、ＭＦＰ１の各部の動作を制御すると共に、種々のソフトウェア的機能を実現する。図１には、ソフトウェア的機能として受付部１０１、搬送制御部１０２及び給紙制御部１０３（詳細は後述する）が実現された場合を図示してある。ＲＯＭ１１は、マスクＲＯＭ又はフラッシュメモリ等の不揮発性メモリ素子により構成してあり、ＭＦＰ１の動作に必要な種々のソフトウェアプログラムが予め記憶してある。
【００１９】
また、制御部１０は、演算処理及び制御処理等を行う際に発生する一時的なデータをRandom Access Memory（ＲＡＭ）１２に記憶するようにしてある。ＲＡＭ１２は、例えばStatic RAM（ＳＲＡＭ）又はDynamic RAM（ＤＲＡＭ）等の書き換え可能なメモリ素子により構成してある。
【００２０】
ＭＦＰ１は、ファクシミリ機能を実現するためのハードウェアとして、Network Control Unit（ＮＣＵ）１３及びモデム１４を備えている。ＮＣＵ１３は、公衆電話回線網１００との回線の閉結及び開放の動作を行うハードウェアであり、公衆電話回線１００とモデム１４とのインタフェース回路を有している。
【００２１】
モデム１４は、公衆電話回線網１００を介して他のＭＦＰ１などとファクシミリ通信を行うためのハードウェアである。データの送信を行う場合、モデム１４は、原稿を読み取って得られた画像のデジタルデータをアナログの音声信号に変換して送信する。また、データの受信を行う場合、モデム１４は、公衆電話回線網１００を介して受信したアナログの音声信号をデジタルデータの画像に変換する。モデム１４は、他のＭＦＰ１からの画像を受信した場合、制御部１０へこの旨を通知する。
【００２２】
また、ＭＦＰ１は、コピー機能、ファクシミリ機能及びスキャナ機能等を利用する際に原稿の読取を行う原稿読取部１５を備えている。原稿読取部１５は、Charge Coupled Device（ＣＣＤ）などのセンサを有する光学ユニットにて原稿の読み取りを行い、読み取りにより取得した画像を画像メモリ１６に記憶する。また、原稿読取部１５は、自動原稿送り装置を有しており、複数頁の原稿を自動的に読み取ることができる。
【００２３】
画像メモリ１６は、モデム１４がファクシミリ通信により受信した画像、及び原稿読取部１５が読み取った画像等を一時的に記憶する。画像メモリ１６は、ＤＲＡＭ又はフラッシュメモリ等の大容量でデータ書き換えが可能なメモリ素子で構成されている。なお、画像形成装置は、ＲＡＭ１２及び画像メモリ１６を１つのメモリ素子で共用する構成であってもよい。
【００２４】
また、ＭＦＰ１は、ユーザの操作を受け付けるための操作部１７を備えている。操作部１７は、スタートスイッチ、ファンクションスイッチ及びテンキー等の各種の操作用の複数のスイッチと、メニュー又はメッセージ等を表示するディスプレイとを有している。ただし、操作部１７はタッチパネルを用いたものであってもよい。操作部１７は、受け付けたユーザによる操作の内容を制御部１０へ通知する。
【００２５】
また、ＭＦＰ１は、ＰＣ２との間でデータの送受信を行う通信部１８を備えている。通信部１８は、通信ケーブルを接続するためのコネクタを有しており、通信ケーブルを介してＰＣ２に接続される。通信部１８は、ＰＣ２から受信した画像を画像メモリ１６に記憶し、ＰＣ２からの処理要求を受信して制御部１０へ通知する。制御部１０は、ＰＣ２からの処理要求に応じて、ファクシミリ通信による画像の送信又は用紙への画像の形成等を行う。また、通信部１８は、ファクシミリ通信にて受信した画像又は原稿読取部１５にて読み取った画像等をＰＣ２へ送信することもできる。
【００２６】
制御部１０の受付部１０１は、操作部１７のスタートスイッチがユーザにより操作された場合に、この操作を画像形成の開始指示として受け付ける処理を行う。また、受付部１０１は、ＰＣ２から画像と共に受信した処理要求を画像形成の開始指示として受け付ける処理を行う。更に、受付部１０１は、公衆電話回線網１００を介して他のＭＦＰ１から画像を受信したことを通知された場合、この通知を画像形成の開始指示として受け付ける処理を行う。なお、受付部１０１による開始指示の受付方法は、上記のものに限らない。
【００２７】
また、ＭＦＰ１は、ファクシミリ通信にて受信した画像、原稿読取部１５にて読み取った画像又はＰＣ２からの画像等を用紙に形成するための画像形成部２０を備えている。画像形成部２０は、半導体レーザ又はLight Emitting Diode（ＬＥＤ）等の光源、トナーを付着させるための感光ドラム２１、並びにトナーを熱及び圧力で用紙へ転写して定着させる定着器２２等を有する。画像形成部２０は、制御部１０の制御に応じて画像メモリ１６に記憶された画像を読み出して、用紙への画像形成を行う。
【００２８】
画像形成部２０の定着器２２は熱によりトナーを定着させるものであり、加熱のためのヒータ（図示は省略する）などを有している。定着器２２が所定のプリント温度に達していない場合には、画像形成部２０は画像の形成を行うことができない。そこで、ＭＦＰ１は画像形成部２０の定着器２２の温度を検出する温度検出部１９を備えており、温度検出部１９は検出結果を制御部１０へ通知する。制御部１０は、温度検出部１９の検出結果に基づいて各部の制御処理を行い、用紙に画像を形成する。
【００２９】
ＭＦＰ１は、数十枚〜数百枚の用紙を収容する用紙トレイを複数備えると共に、数枚〜十数枚の用紙を載置する手差トレイを備えている。ＭＦＰ１が画像形成を行う際には、用紙トレイ又は手差トレイから給紙ローラ３２がレジストローラ３１へ用紙を給紙し、レジストローラ３１が画像形成部２０へ用紙を搬送する。レジストローラ３１は、用紙に感光ドラム２１上のトナー像が同期して転写されるように、用紙を画像形成部２０へ搬送するタイミングを制御するためのローラである。なお、レジストローラ３１は制御部１０の搬送制御部１０２により回転を制御され、給紙ローラ３２は制御部１０の給紙制御部１０３により回転を制御されている。
【００３０】
また、ＭＦＰ１の筺体内には、用紙トレイ又は手差トレイから画像形成部２０までの搬送経路、及び画像形成部２０から排紙口までの搬送経路など、用紙を搬送するための搬送経路が設けてある。更に、用紙の両面に画像を形成するために、用紙の表裏を反転する反転部５４（後述する、図２参照）、及び反転した用紙を画像形成部２０へ搬送するための搬送経路がＭＦＰ１には設けてある。
【００３１】
図２は、ＭＦＰ１が備える用紙の搬送経路の構成を示す模式図である。なお図２においては、用紙の搬送経路を太実線で示し、用紙を搬送するための各種のローラを円形で示し、搬送経路中の用紙を検知する各種のセンサを三角形で示してある。図示の例では、ＭＦＰ１は４つの用紙トレイ５１と１つの手差トレイ５２とを備えている。４つの用紙トレイ５１は、ＭＦＰ１の上下方向に並べて設けてあり、Ｂ５サイズ、Ａ４サイズ、Ｂ４サイズ及びＡ３サイズのようにそれぞれ異なるサイズの用紙を収容することができる。また、ＭＦＰ１には、各トレイからレジストローラ３１へ至る搬送経路がそれぞれ設けてある。
【００３２】
画像形成を行う場合、まず制御部１０は、ユーザの設定などに応じて給紙制御部１０３にて給紙ローラ３２を回転させ、いずれかのトレイから用紙をレジストローラ３１まで搬送する。ＭＦＰ１は、用紙の搬送が完了したか否かを、レジストローラ３１の手前に設けられたセンサ４１により検知することができる。
【００３３】
制御部１０の搬送制御部１０２は、画像形成部２０にて画像形成を行う準備が整った後、レジストローラ３１に用紙の搬送許可を与える。これにより、レジストローラ３１は画像形成部２０へ用紙の搬送を行う。画像形成部２０は、形成する画像に応じた光を感光ドラム２１に照射し、感光ドラム２１にトナーを付着させ、付着したトナーを用紙へ転写し、定着器２２にて熱及び圧力等を加えてトナーを定着させることで用紙に画像を形成する。
【００３４】
ＭＦＰ１には、画像形成部２０から排紙口５３又は反転部５４への２つの搬送経路が設けてある。画像形成部２０にて画像が形成された用紙は、反対面に画像を形成するか否かに応じて、排紙口５３又は反転部５４へ搬送される。搬送先の切り替えは、図示しない切替機構を制御部１０が制御することによって行うことができる。
【００３５】
反転部５４は用紙の搬送経路の一部分であり、反転部５４の出入口には、画像形成部２０の出口からの搬送経路と、画像形成部２０の入口へ至る搬送経路との２つの搬送経路が通じている。反転部５４は、画像形成部２０の出口からの搬送経路から送り込まれた用紙を、この送り込みの反対方向へ、画像形成部２０の入口へ至る搬送経路へ送り出す。これにより、表面に画像が形成された用紙は、反転部５４にて反転されて、画像形成部２０へ再搬送される。これによりＭＦＰ１は、用紙の両面に画像を形成することができる。
【００３６】
ＭＦＰ１が画像の形成を行う場合、制御部１０は、温度検出部１９が検出した温度に応じて画像形成部２０の定着器２２の温度を制御し、定着器２２の温度が所定のプリント温度に達した後、レジストローラ３１による用紙の搬送を許可する。ＭＦＰ１が画像形成を行わない場合、消費電力の低減などを目的として、制御部１０は定着器２２の温度をプリント温度より低い待機温度まで低下させる。また、ＭＦＰ１が起動された直後（電源が投入された直後）には、定着器２２の温度は待機温度以下に低下している。
【００３７】
操作部に対するユーザの操作、ＰＣ２からの指示、又は他のＭＦＰ１によるファクシミリ通信の受信等により、制御部１０の受付部１０１は画像形成の開始指示を受け付ける。実施の形態１に係るＭＦＰ１では、受付部１０１にて開始指示を受け付けた制御部１０は、まず定着器２２の温度が待機温度に達しているか否かを調べる。定着器２２の温度が待機温度に達している場合、制御部１０は給紙制御部１０３にて給紙ローラ３２を制御し、用紙をレジストローラ３１まで給紙する。
【００３８】
次いで制御部１０は、定着器２２の温度がプリント温度に達しているか否かを調べ、達していない場合は、給紙された用紙をレジストローラ３１にて待機させる。定着器２２の温度がプリント温度に達した場合、制御部１０は搬送制御部１０２にてレジストローラ３１に用紙の画像形成部２０への搬送を許可する。搬送の許可を与えられたレジストローラ３１は、画像形成部２０の画像形成部２０による画像の形成が可能な状態であれば、用紙の搬送を行う。例えばファクシミリ通信などで画像の受信が完了していない場合など、画像の形成が不可能な状態であれば、レジストローラ３１は画像形成部２０による画像の形成が可能となるまで待機する。
【００３９】
従来のＭＦＰでは、画像形成の開始指示が与えられた場合、定着器２２の温度が待機温度より高くプリント温度より低い給紙温度に達した後に、給紙ローラ３２による給紙を行っていた。これに対して、実施の形態１に係るＭＦＰ１は、画像形成の開始指示が与えられた場合に、定着器２２が待機温度に達していれば給紙を行う。よって、実施の形態１に係るＭＦＰ１は、給紙温度についての判定を行うことはない。
【００４０】
その後、ＭＦＰ１は、レジストローラ３１にて定着器２２の温度がプリント温度に達するまで用紙の搬送を待機するため、定着器２２がプリント温度に達した直後に用紙を搬送して画像の形成を開始することができる。
【００４１】
図３は、本発明の実施の形態１に係るＭＦＰ１の用紙搬送処理の手順を示すフローチャートであり、ＭＦＰ１の制御部１０にて行われる処理を示してある。まず制御部１０は、受付部１０１にて画像形成の開始指示を受け付けたか否かを調べ（ステップＳ１）、受け付けていない場合には（Ｓ１：ＮＯ）、開始指示を受け付けるまで待機する。画像形成の開始指示を受け付けた場合（Ｓ１：ＹＥＳ）、制御部１０はプリント温度まで上昇させるべく定着器２２の加熱を開始する（ステップＳ２）。
【００４２】
次いで制御部１０は、温度検出部１９が検出した温度が待機温度に達したか否かを調べ（ステップＳ３）、待機温度に達していない場合には（Ｓ３：ＮＯ）、待機温度に達するまで待機する。温度検出部１９が検出した温度が待機温度に達した場合（Ｓ３：ＹＥＳ）、制御部１０は、給紙制御部１０３にて給紙ローラ３２を制御することによって給紙を行い（ステップＳ４）、レジストローラ３１にて用紙を待機させる（ステップＳ５）。
【００４３】
次いで制御部１０は、温度検出部１９が検出した温度がプリント温度に達したか否かを調べ（ステップＳ６）、プリント温度に達していない場合には（Ｓ６：ＮＯ）、プリント温度に達するまで待機する。温度検出部１９が検出した温度がプリント温度に達した場合（Ｓ６：ＹＥＳ）、制御部１０は、搬送制御部１０２にてレジストローラ３１に用紙の搬送許可を与えて（ステップＳ７）、処理を終了する。用紙の搬送を許可されたレジストローラ３１は、画像形成部２０が画像形成を行うことが可能な状態であれば、用紙の搬送を行う。
【００４４】
以上の構成の実施の形態１に係るＭＦＰ１は、定着器２２の温度が待機温度に達していれば、従来のＭＦＰのように給紙温度まで待機することなく、用紙をレジストローラ３１まで給紙する。これによりＭＦＰ１は、定着器２２がプリント温度に達した直後に画像形成を開始することができるため、給紙のために余分な時間を待機することがない。よって、実施の形態１に係るＭＦＰ１は、形成する画像の画質を低下させることなく、画像形成の開始指示を受け付けてから画像形成を完了するまでを短時間に行うことができる。
【００４５】
なお、本実施の形態においては、画像形成装置としてＭＦＰ１を例に説明を行ったが、これに限るものではなく、コピー機、プリンタ又はファクシミリ等のその他の画像形成装置についても同様の構成を適用することができる。
【００４６】
（実施の形態２）
上述の実施の形態１に係るＭＦＰ１は、受付部１０１が開始指示を受け付けた場合に、定着器２２の温度が待機温度に達した後で給紙を行う構成である。これに対して実施の形態２に係るＭＦＰ１は、定着器２２の温度が待機温度に達するのを待機することなく、開始指示を受け付けて給紙を行う構成である。
【００４７】
図４は、本発明の実施の形態２に係るＭＦＰ１の用紙搬送処理の手順を示すフローチャートである。まず制御部１０は、受付部１０１にて画像形成の開始指示を受け付けたか否かを調べ（ステップＳ２１）、受け付けていない場合には（Ｓ２１：ＮＯ）、開始指示を受け付けるまで待機する。
【００４８】
画像形成の開始指示を受け付けた場合（Ｓ２１：ＹＥＳ）、制御部１０はプリント温度まで上昇させるべく定着器２２の加熱を開始する（ステップＳ２２）。次いで制御部１０は、給紙制御部１０３にて給紙ローラ３２を制御することによって給紙を行い（ステップＳ２３）、レジストローラ３１にて用紙を待機させる（ステップＳ２４）。
【００４９】
次いで、制御部１０は、温度検出部１９が検出した温度がプリント温度に達したか否かを調べ（ステップＳ２５）、プリント温度に達していない場合には（Ｓ２５：ＮＯ）、プリント温度に達するまで待機する。温度検出部１９が検出した温度がプリント温度に達した場合（Ｓ２５：ＹＥＳ）、制御部１０は、搬送制御部１０２にてレジストローラ３１に用紙の搬送許可を与えて（ステップＳ２６）、処理を終了する。
【００５０】
以上の構成の実施の形態２に係るＭＦＰ１は、画像形成の開始指示を受け付けた場合に、定着器２２の温度に関係なく給紙を行って、レジストローラ３１にて用紙を待機させる。これによりＭＦＰ１は、定着器２２がプリント温度に達した直後に画像形成を開始することができるため、給紙のために余分な時間を待機することがない。よって、実施の形態２に係るＭＦＰ１は、実施の形態１に係るＭＦＰ１と同様に、形成する画像の画質を低下させることなく、画像形成の開始指示を受け付けてから画像形成を完了するまでを短時間に行うことができる。
【００５１】
なお、実施の形態２に係るＭＦＰ１のその他の構成は、実施の形態１に係るＭＦＰ１の構成と同様であるため、対応する箇所には同じ符号を付して説明を省略する。
【図面の簡単な説明】
【００５２】
【図１】本発明に係るＭＦＰの構成を示すブロック図である。
【図２】ＭＦＰが備える用紙の搬送経路の構成を示す模式図である。
【図３】本発明の実施の形態１に係るＭＦＰの用紙搬送処理の手順を示すフローチャートである。
【図４】本発明の実施の形態２に係るＭＦＰの用紙搬送処理の手順を示すフローチャートである。
【００５３】
１  ＭＦＰ（画像形成装置）
１０  制御部
１９  温度検出部
２０  画像形成部
２１  感光ドラム
２２  定着器
３１  レジストローラ（用紙搬送部）
３２  給紙ローラ（給紙部）
５１  用紙トレイ（用紙収容部）
５２  手差トレイ（用紙収容部）
１０１  受付部
１０２  搬送制御部
１０３  給紙制御部
【図１】
2009103748.tif 000003
【図２】
2009103748.tif 000004
【図３】
2009103748.tif 000005
【図４】
2009103748.tif 000006